(57)【要約】【課題】機器データ１４の収集処理負荷を軽減し、各機器の機器データ１４取得のためのコマンドを、ファイヤーウオールを隔てて任意のタイミングで更新し変更することを可能にする。【解決手段】複数のそれぞれ機種の異なるターゲット機器１２からネットワークを通じて収集された未加工の機器データ１４を記憶する記憶装置と、機種の異なるターゲット機器１２毎に、その機器データ１４の解析方法を示す機器毎データ解析情報３０を参照して、機器データ１４を解析し、機器情報の提供を要求するユーザ用に加工したユーザ毎配信データ３８を生成して、解析データ記憶装置群３４に記憶させるデータ解析手段３２と、解析データ記憶装置群３４に記憶されたユーザ毎配信データ３８を、ネットワークを通じてユーザ端末４２に配信するデータ配信サーバ３６とを備えた。【選択図】図１
2009134329.tif 000002
【特許請求の範囲】
【請求項１】
複数のそれぞれ機種の異なるターゲット機器からネットワークを通じて収集された未加工の機器データを記憶する記憶装置と、
前記機種の異なるターゲット機器毎に、その機器データの解析方法を示す機器毎データ解析情報を参照して、前記機器データを解析し、機器情報の提供を要求するユーザ用に加工したユーザ毎配信データを生成して、解析データ記憶装置群に記憶させるデータ解析手段と、
前記解析データ記憶装置群に記憶されたユーザ毎配信データを、ネットワークを通じてユーザ端末に配信するデータ配信サーバとを備えたことを特徴とする異機種機器群データ管理システム。
【請求項２】
請求項１に記載の異機種機器群データ管理システムにおいて、
前記各ターゲット機器には、それぞれ、ターゲット機器から機器データを取得して、ネットワークを通じて当該機器データを前記機器データ記憶用の記憶装置に転送するネット接続器が接続されており、
前記機器データは、前記ネット接続器のデータ取得時刻と、ターゲット機器の機器識別情報と、ターゲット機器から出力された未加工の生データとを含むことを特徴とする異機種機器群データ管理システム。
【請求項３】
請求項１または２に記載の異機種機器群データ管理システムを使用して、
記憶装置が、ターゲット機器からネット接続器が機器データを取得するためのコマンドの生成に必要な情報を含むコマンド管理データベースを記憶するステップと、
コマンド生成手段が、ネットワークとファイヤーウオールを介して接続された前記ターゲット機器を管理するコマンド管理手段から、更新後のターゲット機器に関する機器情報を受信し、前記コマンド管理データベースを参照して、当該更新後のターゲット機器から機器データを取得するためのコマンドを生成するステップと、
コマンド書き換え手段が、前記コマンド管理手段に対して、前記コマンド生成手段の生成したコマンドと制御用コマンド更新要求を送信するステップとを含むことを特徴とする異機種機器群データ管理方法。
【請求項４】
請求項１または２に記載の異機種機器群データ管理システムを使用して、
記憶装置が、ターゲット機器からネット接続器が機器データを取得するためのコマンドの生成に必要な情報を含むコマンド管理データベースを記憶するステップと、
コマンド生成手段が、ネットワークとファイヤーウオールを介して接続された前記ターゲット機器を管理するコマンド管理手段から、更新後のターゲット機器に関する機器情報を受信し、前記コマンド管理データベースを参照して、当該更新後のターゲット機器から機器データを取得するためのコマンドを生成するステップと、
コマンド書き換え手段が、前記ネット接続器に直接接続されて、当該ネット接続器へ制御用コマンドをロードする機能を持つコマンド受信手段に対して、前記コマンド生成手段の生成したコマンドと制御用コマンド更新要求を送信するステップとを含むことを特徴とする異機種機器群データ管理方法。
【請求項５】
請求項１または２に記載の異機種機器群データ管理システムを使用して、
記憶装置が、ターゲット機器から機器データを取得するためのコマンドの生成に必要な情報を含むコマンド管理データベースを記憶するステップと、
前記ターゲット機器を管理するコマンド管理手段が、前記ネット接続器に対して、コマンドの更新を要求するステップと、
前記ネット接続器がネットワークとファイヤーウオールを介して接続されたコマンド生成手段に対して、更新後のターゲット機器から機器データを取得するためのコマンドの生成を要求するステップと、
前記コマンド生成手段が、前記コマンド管理データベースを参照して、当該更新後のターゲット機器から機器データを取得するためのコマンドを生成するステップと、
コマンド書き換え手段が、前記ネット接続器に対して、前記コマンド生成手段の生成したコマンドと制御用コマンド更新要求を送信するステップとを含むことを特徴とする異機種機器群データ管理方法。
【請求項６】
コンピュータを、
前記請求項３乃至５に記載された方法を実行するための、記憶装置とコマンド生成手段とコマンド書き換え手段として機能させる異機種機器群データ管理プログラム。
【請求項７】
コンピュータを、
前記請求項３乃至５に記載された方法を実行するための、記憶装置とコマンド生成手段とコマンド書き換え手段として機能させる異機種機器群データ管理プログラムを記録したコンピュータで読み取り可能な記録媒体。
【発明の詳細な説明】
【技術分野】
【０００１】
本発明は、任意の場所で稼働する多種多様な機器の状態を集中監視し管理する異機種機器群データ管理システムと機種機器群データ管理方法と異機種機器群データ管理プログラムとプログラム記録媒体に関する。
【背景技術】
【０００２】
工場や研究所あるいは事業所で使用される様々な機器の状態を監視して、その管理を行うために、汎用性の高いインタフェースが開発されている（特許文献１参照）。
【特許文献１】特開２００７−１１５２３７号公報
【発明の開示】
【発明が解決しようとする課題】
【０００３】
既知の従来の技術には、次のような解決すべき課題があった。
上記のようなシステムを利用する企業は、それぞれ任意の場所に設備された様々な機器から、ネットワークを通じて機器データを収集する。このために、機器データ収集用の通信装置が必要になる。管理対象の機器が多いと、機器データ収集処理を実行するコンピュータの通信負荷が増える。また、各機器が任意のタイミングで機器データの送信要求をすると、一時的に通信トラフィックが急増することもある。さらに、各機器はそれぞれ随時交換される。その度に、各機器固有の機器データ取得のための制御プログラムを変更しなければならない。しかしながら、ネットワークを通じて機器データ収集用の装置の制御プログラムを変更するには、ファイヤーウオールが障害になる。
上記の課題を解決するために、本発明は次のような異機種機器群データ管理システムと機種機器群データ管理方法と異機種機器群データ管理プログラムとプログラム記録媒体を提供することを目的とする。
（１）機器データの収集処理をするコンピュータの負荷を著しく増大させることなく、かつ、通信トラフィックの集中を回避するように各機器から機器データを収集することを可能にする。
（２）各機器の機器データ取得のためのコマンドを、ファイヤーウオールを隔てて任意のタイミングで更新し変更することを可能にする。
【課題を解決するための手段】
【０００４】
以下の構成はそれぞれ上記の課題を解決するための手段である。
〈構成１〉
複数のそれぞれ機種の異なるターゲット機器からネットワークを通じて収集された未加工の機器データを記憶する記憶装置と、上記機種の異なるターゲット機器毎に、その機器データの解析方法を示す機器毎データ解析情報を参照して、上記機器データを解析し、機器情報の提供を要求するユーザ用に加工したユーザ毎配信データを生成して、解析データ記憶装置群に記憶させるデータ解析手段と、上記解析データ記憶装置群に記憶されたユーザ毎配信データを、ネットワークを通じてユーザ端末に配信するデータ配信サーバとを備えたことを特徴とする異機種機器群データ管理システム。
【０００５】
ターゲット機器から、任意のタイミングでネットワークを通じて未加工の機器データを収集するので、トラフィックの集中を避けて異機種機器群から必要な情報を取得できる。その後、機器毎データ解析情報を参照して機器データを解析し、ユーザ毎配信データを生成するので、多数のユーザに多種多様な機器の状態情報等を円滑に配信できる。
【０００６】
〈構成２〉
構成１に記載の異機種機器群データ管理システムにおいて、上記各ターゲット機器には、それぞれ、ターゲット機器から機器データを取得して、ネットワークを通じて当該機器データを上記機器データ記憶用の記憶装置に転送するネット接続器が接続されており、上記機器データは、上記ネット接続器のデータ取得時刻と、ターゲット機器の機器識別情報と、ターゲット機器から出力された未加工の生データとを含むことを特徴とする異機種機器群データ管理システム。
【０００７】
ターゲット機器から未加工の生データを取得し、必要最小限の情報を含めて機器データとするので、容易に迅速に情報収集処理ができる。
【０００８】
〈構成３〉
構成１または２に記載の異機種機器群データ管理システムを使用して、記憶装置が、ターゲット機器からネット接続器が機器データを取得するためのコマンドの生成に必要な情報を含むコマンド管理データベースを記憶するステップと、コマンド生成手段が、ネットワークとファイヤーウオールを介して接続された上記ターゲット機器を管理するコマンド管理手段から、更新後のターゲット機器に関する機器情報を受信し、上記コマンド管理データベースを参照して、当該更新後のターゲット機器から機器データを取得するためのコマンドを生成するステップと、コマンド書き換え手段が、上記コマンド管理手段に対して、上記コマンド生成手段の生成したコマンドと制御用コマンド更新要求を送信するステップとを含むことを特徴とする異機種機器群データ管理方法。
【０００９】
各ターゲット機器にはネット接続器が接続されており、それぞれ機器固有のコマンドで機器データを取得する。このターゲット機器を別の機器に更新したとき、制御用コマンドを更新しなけれはならない。制御用コマンドは、データ収集サーバ側で生成できる。しかし、ネットワークとファイヤーウオールを経由してネット接続器に制御用コマンドをロードすることはできない。そこで、ターゲット機器側でターゲット機器を管理するコンピュータのコマンド管理手段から、データ収集サーバにターゲット機器の更新を通知し、コマンドの生成を要求する。データ収集サーバ側のコマンド書き換え手段は、コマンド管理手段の要求に対するレスポンスとして、新たに生成した制御用コマンドを送信する。コマンド管理手段は、受信した制御用コマンドをネット接続器にロードする。これで、ットワークとファイヤーウオールを経由して、ネット接続器の管理ができる。
【００１０】
〈構成４〉
構成１または２に記載の異機種機器群データ管理システムを使用して、記憶装置が、ターゲット機器からネット接続器が機器データを取得するためのコマンドの生成に必要な情報を含むコマンド管理データベースを記憶するステップと、コマンド生成手段が、ネットワークとファイヤーウオールを介して接続された上記ターゲット機器を管理するコマンド管理手段から、更新後のターゲット機器に関する機器情報を受信し、上記コマンド管理データベースを参照して、当該更新後のターゲット機器から機器データを取得するためのコマンドを生成するステップと、コマンド書き換え手段が、上記ネット接続器に直接接続されて、当該ネット接続器へ制御用コマンドをロードする機能を持つコマンド受信手段に対して、上記コマンド生成手段の生成したコマンドと制御用コマンド更新要求を送信するステップとを含むことを特徴とする異機種機器群データ管理方法。
【００１１】
ターゲット機器側に、コマンド書き換え機能を持つコマンド受信手段を設け、ファイヤーウオールを回避して、コマンドをネット接続器にロードできる。
【００１２】
〈構成５〉
構成１または２に記載の異機種機器群データ管理システムを使用して、記憶装置が、ターゲット機器から機器データを取得するためのコマンドの生成に必要な情報を含むコマンド管理データベースを記憶するステップと、上記ターゲット機器を管理するコマンド管理手段が、上記ネット接続器に対して、コマンドの更新を要求するステップと、上記ネット接続器がネットワークとファイヤーウオールを介して接続されたコマンド生成手段に対して、更新後のターゲット機器から機器データを取得するためのコマンドの生成を要求するステップと、上記コマンド生成手段が、上記コマンド管理データベースを参照して、当該更新後のターゲット機器から機器データを取得するためのコマンドを生成するステップと、コマンド書き換え手段が、上記ネット接続器に対して、上記コマンド生成手段の生成したコマンドと制御用コマンド更新要求を送信するステップとを含むことを特徴とする異機種機器群データ管理方法。
【００１３】
〈構成６〉
コンピュータを、上記構成３乃至５に記載された方法を実行するための、記憶装置とコマンド生成手段とコマンド書き換え手段として機能させる異機種機器群データ管理プログラム。
【００１４】
〈構成７〉
コンピュータを、上記構成３乃至５に記載された方法を実行するための、記憶装置とコマンド生成手段とコマンド書き換え手段として機能させる異機種機器群データ管理プログラムを記録したコンピュータで読み取り可能な記録媒体。
【発明を実施するための最良の形態】
【００１５】
以下、本発明の実施の形態を実施例毎に詳細に説明する。
【実施例１】
【００１６】
図１は実施例１の異機種機器群データ管理システムを示すブロック図である。
図の異機種機器群データ管理システム１０は、データ受信サーバ２０とデータ管理サーバ２８とデータ配信サーバ３６とを備えている。データ受信サーバ２０は、管理対象となるターゲット機器を収容する多数の事業所１１と収集ネットワーク１８を介して接続されている。データ受信サーバ２０には、収集した機器データ１４を記憶する記憶装置が設けられている。事業所１１には、複数のそれぞれ機種の異なるターゲット機器が収容されている。その数も機種の種類も任意である。
【００１７】
図２は、機器データの具体例を示す説明図である。
機器データ１４は、ネットワークを通じて収集された未加工のデータである。取得時刻２２と機器識別情報２４と生データ２６とを含む。取得時刻２２を含めることにより、機器データを任意のタイミングでデータ受信サーバ２０に送信し、任意のタイミングで解析することができるので、データ管理サーバ２８の解析処理時期の自由度が高く、負荷の集中を防止できる。機器識別情報２４は、全てのターゲット機器を区別できる記号等の情報である。未加工のデータを収集するのは、後で説明するネット接続器のデータ取得処理を簡単にし、データ構造を簡単にして、総合的に機器データ収集処理の負荷を軽減するためである。また、未加工のデータを収集して、データ管理サーバ２８側で順次解析するので、機器データの受信タイミングに制約がなく、機器データの受信タイミングを自由に広く分散することができる。
【００１８】
データ管理サーバ２８には、機器毎データ解析情報３０を記憶する記憶装置と、データ解析手段３２と、解析データ記憶装置群３４とが設けられている。データ解析手段３は、データ管理サーバ２８のコンピュータに所定の機能を付与するコンピュータプログラムである。機器毎データ解析情報３０は、機種の異なるターゲット機器毎に、その機器データ１４の解析方法を示すデータを蓄積したものである。例えば、機器の状態情報が数値や記号で取得されたとき、そのデータを切り分けたり、人の認識できる文字情報や数値情報に変換することができるようにする制御情報である。
【００１９】
データ解析手段３２は、機器毎データ解析情報３０を参照して、機器データ１４を解析し、ユーザ毎配信データ３８を生成して、解析データ記憶装置群３４に記憶させる機能を持つ。ユーザ毎配信データ３８は、機器情報の提供を要求するユーザ用に加工されたデータである。その形式は任意である。例えば、同じ機器データを、管理者用、技術者用というように、複数のユーザ毎配信データ３８に変換してもよい。これは、例えば、ウェブデータ形式に編集されて、データ配信サーバ３６により、配信ネットワーク４０を通じてユーザ端末４２に配信される。
【００２０】
これにより、ユーザは、管理対象となるターゲット機器をデータ管理サーバ２８に登録し、機器データ１４をデータ受信サーバ２０に送信する設備を設けて、任意の機器を全て、任意の場所で集中管理することができる。しかも、同じ機器データを立場が違う毎に最適な形式に加工して受信することができる。また、サーバ管理者側は、任意のユーザから機器管理の申し込みを受け付けて、広く機器管理情報サービスを提供できる。
【実施例２】
【００２１】
図３は実施例２のシステムを示す主要部側のブロック図である。
図のように、上記の事業所１１（図１）には、それぞれ機器管理用コンピュータ４４が設けられ、ターゲット機器１２を管理している。各ターゲット機器１２には、それぞれ、ネット接続器４６が接続されている。ネット接続器４６は、ターゲット機器１２から機器データ１４を取得して、ネットワークを通じて当該機器データ１４を、データ受信サーバ２０に転送する機能を持つ。既に説明したように、機器データ１４は、データ受信サーバ２０の記憶装置に記憶される。ネット接続器４６は、既に説明したように、ターゲット機器１２から未加工の生データ２６を取得し、必要最小限の情報を含めて機器データ１４とする。従って、ハードウエアもソフトウエアもデータ構造もきわめて簡単でよい。
【００２２】
コマンド管理データベース５０は、ターゲット機器１２からネット接続器４６が機器データ１４を取得するためのコマンドの生成に必要な情報を含むデータ群である。ネット接続器４６は、機器毎に、そのデータを取得するための固有のコマンドをロードし、所定のタイミングで機器データを取得する。このコマンドは機器を交換したときにはその機器に合わせて更新する必要がある。ところが、機器管理用コンピュータ４４側には、図３に示すように、ファイヤーウオール５６が存在し、データ受信サーバ２０側から自由にそのコマンドの書き換えをすることができない。そごて、この図に示すような実施例を採用する。
【００２３】
データ受信サーバ２０に設けられたコマンド生成手段５２と、コマンド書き換え手段５４とは、データ受信サーバ２０のコンピュータに所定の機能を付与するコンピュータプログラムである。コマンド生成手段５２は、ネットワークとファイヤーウオール５６を介して接続されたコマンド管理手段４８から、更新後のターゲット機器１２に関する機器情報を受信する機能を持つ。さらに、コマンド管理データベース５０を参照して、当該更新後のターゲット機器１２から機器データ１４を取得するためのコマンドを生成する機能を持つ。機器情報は新たな機器を識別する情報で、コマンド管理データベース５０には、その機器用のコマンドが記憶既に登録されているものとする。
【００２４】
コマンド書き換え手段５４は、コマンド管理手段４８に対して、コマンド生成手段５２の生成したコマンドと制御用コマンド更新要求を送信する機能を持つ。即ち、これにより、ターゲット機器１２が変更されたときは、例えば、管理者の操作によってコマンド管理手段４８が起動し、更新用のコマンドの生成を要求する。生成されたコマンドは、コマンド管理手段４８が受信する。コマンド管理手段４８の要求に応答する形式で生成されたコマンドは、ファイヤーウオール５６を越えてコマンド管理手段４８が取得できる。制御用コマンド更新要求は、その後自動的にコマンドの更新処理を実行するように指示する命令である。コマンド管理手段４８はネット接続器４６に受信したコマンドをロードする。これで、新たな機器から、機器データを取得できる準備が完了する。
【実施例３】
【００２５】
図４は実施例３の異機種機器群データ管理システムを示す主要部ブロック図である。
この図と次の図は、図３のシステムの一部を抜き出したもので、データ受信サーバ２０側の構成は変わらない。機器管理用コンピュータ４４側の構成が一部変更され、コマンドのロード方法が異なる。故に、データ受信サーバ２０側の図を一部省略した。図４の例では、機器管理用コンピュータ４４に、コマンド受信手段５８を設けている。このコマンド受信手段５８は、ネット接続器４６に直接接続されて、当該ネット接続器４６へ制御用コマンドをロードする機能を持つ。また、コマンド書き換え手段５４から、ファイヤーウオール５６を介することなくコマンドと制御用コマンド更新要求を受信する機能を持つ。コマンドの生成と送信要求は、実施例２と同様に  コマンド管理手段４８がコマンド生成手段５２に送信する。
【実施例４】
【００２６】
図５は実施例４の異機種機器群データ管理システムを示す主要部ブロック図である。
この例では、ネット接続器４６が独自に通信機能を持つ。即ち、コマンド管理手段４８がネット接続器４６に対して、新たな機器のためのコマンドを更新する要求をする。ネット接続器４６は、これに応じて、コマンド書き換え手段５４にコマンドの生成を要求する。コマンド生成手段５２は、ネットワークとファイヤーウオール５６を介して、ネット接続器４６から、更新後のターゲット機器１２に関する機器情報を受信する。そして、コマンド管理データベース５０を参照して、コマンドを生成する。このコマンドがコマンド書き換え手段５４を通じてネット接続器４６に送信される。この場合も、ネット接続器４６側からの要求に対する応答なので、ファイヤーウオール５６を越えてコマンドをネット接続器４６にロードすることができる。
【実施例５】
【００２７】
図６以下は、上記のシステムの制御用コンピュータプログラムの動作フローチャートである。まず、図６は、機器管理用コンピュータ４４側の動作フローチャートである。
始めに、機器データの収集処理をする。ステップＳ１１で、ネット接続器４６がターゲット機器１２に対して制御コマンドを出力する。ステップＳ１２では、ネット接続器４６が機器データの収集を開始する。ステップＳ１３では、ネット接続器４６がターゲット機器１２から生データ２６を取得する。ステップＳ１４では、その生データ２６の取得時刻２２を付加する。ステップＳ１５では、さらに、機器識別情報２４を付加する。ステップＳ１６では、生成された機器データ１４をデータ受信サーバ２０に送信する。
【００２８】
図７は、サーバ２０、２８が機器データを収集して処理する動作フローチャートである。
ステップＳ２１では、データ受信サーバ２０が機器データ１４を受信する。ステップＳ２２では、受信した機器データ１４を記憶装置に記憶する。次に、ステップＳ２３では、データ解析手段３２が機器データ１４を読み取る。データ解析手段３２は、ステップＳ２４で、機器毎データ解析情報３０を参照する。データ解析手段３２は、ステップＳ２５で、機器データ１４の解析をする。ステップＳ２６では、解析データを取得する。ステップＳ２７では、例えば、ユーザ毎に、情報サービスを提供する料金を情報量に応じて積算する経理情報を生成して、記憶装置３５に記憶する。
【００２９】
ステップＳ２８では、処理中に発生したエラーやデータ中に含まれたエラー情報を生成して記憶装置３５に記憶する。ステップＳ２９では、ユーザ毎配信データ３８を記憶装置３５に記憶する。ステップＳ３０では、ユーザ毎配信データ３８をデータ配信サーバ３６にアップロードする。これで、ユーザ毎配信データ３８をユーザに配信できる。
【００３０】
図８は、実施例２のコマンドロード処理動作フローチャートである。図３を併せて参照する。
ステップＳ３１では、コマンド管理手段４８がコマンド生成手段５２に対してコマンド更新要求を送信する。こうして、コマンドが生成されるまで待つ。コマンドが生成されると、ステップＳ３２で、コマンド書き換え手段５４から制御コマンド更新要求を受信する。続いて、ステップＳ３３で、コマンド書き換え手段５４から制御コマンドを受信する。ステップＳ３４では、その制御コマンドを、ネット接続器４６にロードする。これで、更新処理が完了する。
【００３１】
図９は、実施例２のデータ受信サーバ２０側の動作フローチャートである。
ステップＳ４１では、コマンド生成手段５２がコマンド管理手段４８からコマンド更新要求を受信する。さらに、ステップＳ４２では、コマンド管理手段４８から更新後の機器情報の受信をする。ステップＳ４３では、コマンド生成手段５２がコマンド管理データベース５０を参照する。そして、ステップＳ４４で、コマンドを生成する。ステップＳ４５では、コマンド書き換え手段５４がコマンド管理手段４８に対して制御コマンド更新要求を送信する。ステップＳ４６では、コマンド受信手段５８に対して生成した制御コマンドを送信する。
【００３２】
図４に示した実施例３では、コマンド管理手段４８とコマンド生成手段５２とコマンド書き換え手段５４とは、図８と図９に示したとおりに動作する。しかし、図９のステップＳ４５とステップＳ４６において、コマンド書き換え手段５４は、機器管理用コンピュータ４４側のコマンド受信手段５８に対して、制御コマンド更新要求と制御コマンドを送信する。こうして、ファイヤウオールを迂回する。コマンド受信手段５８がネット接続機器４６に対してコマンドをロードする。これ以外の部分は変わらないので、フローチャートの図示を省略する。
【００３３】
図１０は、実施例４のコマンドロード処理動作フローチャートである。図５を併せて参照する。
ステップＳ５１では、コマンド管理手段４８がネット接続器４６に対してコマンド書き換え要求を出力する。ステップＳ５２では、ネット接続器４６がコマンド生成手段５２に対してコマンド更新要求を送信する。コマンド生成手段５２とコマンド書き換え手段５４とは、図９に示したとおりに動作する。ステップＳ５３では、ネット接続器４６がコマンド書き換え手段５４から制御コマンドの更新要求を受信する。ステップＳ５４では、コマンド生成手段５２が生成したコマンドをコマンド書き換え手段５４から受信する。ステップＳ５５では、受信した制御コマンドをネット接続器４６にロードする。これで、処理が完了する。
【００３４】
なお、上記のサーバは、ウェブサーバとして動作する既知のハードウエアを備えたものでよい。ウェブページは、それぞれ所定のＵＲＬ（Uniform Resource Locator）を用いて、ネットワークを通じて閲覧可能な状態にされている。ウェブページは、ＨＴＭＬ（Hyper Text Mark-up Language）、ＳＧＭＬ（Standard Generalized Mark-up Language）、ＸＭＬ（eXtensible Markup Language） 等の形式で作成されたもので、ネットワークを通じてブラウザにより閲覧可能な形式のデータである。ウェブページのデータ中には、Vbscript（Visual Basic Script：Microsoft社の開発したプログラミング言語）やJAVA（登録商標）（Sun Microsystems社の開発したプログラミング言語）、JAVA（登録商標）script（Sun Microsystems社とNetscape Communications社が開発したスクリプト言語）等で記述したコンピュータプログラムが含まれており、ブラウザ上で上記の処理を実行する。
【００３５】
上記のサーバにインストールされたコンピュータプログラムは、それぞれ独立したプログラムモジュールを組み合わせて構成してもよいし、全体を一体化したプログラムにより構成してもよい。コンピュータプログラムにより制御される処理の全部または一部を同等の機能を備えるハードウエアで構成しても構わない。また、上記のコンピュータプログラムは、既存のアプリケーションプログラムに組み込んで使用してもよい。上記のような本発明を実現するためのコンピュータプログラムは、例えばＣＤ−ＲＯＭのようなコンピュータで読み取り可能な記録媒体に記録して、任意の情報処理装置にインストールして利用することができる。また、ネットワークを通じて任意のコンピュータのメモリ中にダウンロードして利用することもできる。
【図面の簡単な説明】
【００３６】
【図１】実施例１の異機種機器群データ管理システムを示すブロック図である。
【図２】機器データの具体例を示す説明図である。
【図３】実施例２のシステムを示す主要部側のブロック図である。
【図４】実施例３の異機種機器群データ管理システムを示す主要部ブロック図である。
【図５】実施例４の異機種機器群データ管理システムを示す主要部ブロック図である。
【図６】機器管理用コンピュータ４４側の動作フローチャートである。
【図７】サーバ２０、２８が機器データを収集して処理する動作フローチャートである。
【図８】実施例２のコマンドロード処理動作フローチャートである。
【図９】実施例２のデータ受信サーバ２０側の動作フローチャートである。
【図１０】実施例４のコマンドロード処理動作フローチャートである。
【符号の説明】
【００３７】
１０  異機種機器群データ管理システム
１２  ターゲット機器
１４  機器データ
１６  ネット接続機器
１８  収集ネットワーク
２０  データ受信サーバ
２２  取得時刻
２４  機器識別情報
２６  生データ
２８  データ管理サーバ
３０  機器毎データ解析情報
３２  データ解析手段
３４  解析データ記憶装置群
３６  データ配信サーバ
３８  ユーザ毎配信データ
４０  配信ネットワーク
４２  ユーザ端末
４４  機器管理用コンピュータ
４６  ネット接続器
４８  コマンド管理手段
５０  コマンド管理データベース
５２  コマンド生成手段
５４  コマンド書き換え手段
５６  ファイヤーウオール
５８  コマンド受信手段
【図１】
2009134329.tif 000003
【図２】
2009134329.tif 000004
【図３】
2009134329.tif 000005
【図４】
2009134329.tif 000006
【図５】
2009134329.tif 000007
【図６】
2009134329.tif 000008
【図７】
2009134329.tif 000009
【図８】
2009134329.tif 000010
【図９】
2009134329.tif 000011
【図１０】
2009134329.tif 000012